(57)【特許請求の範囲】
【請求項１】
膨らみ変形可能となっていると共に内部に抽出用原料が収納された通液性の偏平な袋体と、
この袋体の対向した外面に接合される一対の外面シートと、
外部々材が挿入されるスリットを有して前記一対の外面シートのそれぞれに引き起こし可能に一体的に形成され、前記スリットが外部々材に係止されることにより袋体を膨らませた状態で袋体を外部々材に対して起立状態とする係止片とを備え、
前記係止片は、連続した切り込み線及び連設線に囲まれ、前記切り込み線を境として外面シートから切り離されると共に連設線を起点として外面シートから引き起こし可能となっており、係止片における前記連設線との反対側に応力集中部が設けられ、前記外面シートは、前記連設線の外方側部分で前記袋体の外面に接合される一方、前記応力集中部の外方側部分が袋体と非接合状態となっており、前記スリットの外部々材の挿入始端部が絞られていることを特徴とする起立状抽出バッグ。
【請求項２】
前記一対の外面シートは前記袋体に対して面対称位置に設けられることを特徴とする請求項１記載の起立状抽出バッグ。
【発明の詳細な説明】
【０００１】
【発明の属する技術分野】
本発明は、コップなどの容器に起立状に取り付けられて抽出が行われる起立状抽出バッグに関する。
【０００２】
【従来の技術】
図３及び図４は従来より用いられている起立状抽出バッグを示す。このバッグは図３に示すように、抽出用原料が収納された袋体１００と、袋体１００の対向した外面に貼り付けによって接合された一対の外面シート１１０とを備えている。袋体１００は偏平状となっているが、相反する方向の引き剥がし力が作用することにより膨らむことが可能となっている。
【０００３】
一対の外面シート１１０は、係止片１２０がそれぞれ一体的に形成されている。係止片１２０は外面シート１１０と一体となっているが、その周囲には外面シート１１０を切り込むことによって形成された切り込み線１２１が設けられており、この切り込み線１２１を境として外面シート１１０から引き起こすことが可能となっている。この場合、切り込み線１２１の一側は、ミシン目などの連設線１２２となっており、引き起こしを行っても、係止片１２０は連設線１２２部分が外面シート１１０と連設状態を継続するものである。又、係止片１２０には、スリット１３０が形成されており、このスリット１３０にコップなどの容器の縁部を挿入することにより、袋体１００が起立状態となる。
【０００４】
図４は起立状抽出バッグの抽出状態を示す。この抽出は、袋体１００の両側から係止片１２０を引き起こし、引き起こした係止片１２０のスリット１３０にコップ１４０の縁部を挿入する。この挿入によって係止片１２０がコップ１４０に係止されるため、袋体１１０の対向した外面に引き剥がし力が作用して袋体１１０の全体が膨らんだ状態となる。これと同時に、袋体１１０はその両側が係止片１２０を介してコップ１４０に支持されるため、コップ１４０に対して起立状態で取り付けられる。この取り付け状態で、上方から湯などを袋体１００に注下することにより、袋体１１０内の抽出用原料の抽出を行うことができる。
【０００５】
【発明が解決しようとする課題】
しかしながら、従来の起立状抽出バッグでは、以下の問題点を有している。
（１）コップ１４０への取付時に袋体１００が傾き易く、この傾きによって抽出時に抽出用原料が袋体１００からこぼれ出てコップ１４０内に落下する。これは、係止片１２０のスリット１３０がコップ１４０の縁部に確実に係止されることがなく、コップ１４０への係止力が小さいためであり、又、係止片１２０を引き起こした際に、係止片１２０が外面シート１１０の全体を引っ張るため、外面シート１１０と係止片１２０との接合部分である連設線１２２側に袋体１０が引っ張られるためである。
【０００６】
（２）係止片１２０を外面シート１１０から引き起こしにくい。又、爪などを引っ掛けて無理に引き起こすと、袋体１００や係止片１２０が破れる原因となっている。
【０００７】
本発明は、このような従来の問題点を考慮してなされたものであり、袋体が傾いてコップ等に取り付けられることがなく、しかも、係止片の引き起こしを簡単に行うことが可能な起立状抽出バッグを提供することを目的とする。
【０００８】
【課題を解決するための手段】
上記目的を達成するため、請求項１の発明は、膨らみ変形可能となっていると共に内部に抽出用原料が収納された通液性の偏平な袋体と、この袋体の対向した外面に接合される一対の外面シートと、外部々材が挿入されるスリットを有して前記一対の外面シートのそれぞれに引き起こし可能に一体的に形成され、前記スリットが外部々材に係止されることにより袋体を膨らませた状態で袋体を外部々材に対して起立状態とする係止片とを備え、前記係止片は、連続した切り込み線及び連設線に囲まれ、前記切り込み線を境として外面シートから切り離されると共に連設線を起点として外面シートから引き起こし可能となっており、係止片における前記連設線との反対側に応力集中部が設けられ、前記外面シートは、前記連設線の外方側部分で前記袋体の外面に接合される一方、前記応力集中部の外方側部分が袋体と非接合状態となっており、前記スリットの外部々材の挿入始端部が絞られていることを特徴とする。
【０００９】
この発明では、応力集中部付近に力を作用させることにより、応力集中部に力が集中するため、係止片を応力集中部から引き起こすことができる。このため、係止片の引き起こしを簡単に行うことができる。
【００１０】
そして、係止片の引き起こし状態で、係止片のスリットにコップなどの外部々材を挿入する。この挿入では、スリットにおける挿入始端部が絞られているため、スリットはコップなどの外部々材に噛み込んだ状態で外部々材に係止して、強力な係止状態となる。しかも、応力集中部の外方側における外面シートの部分は、袋体と接合されない非接合状態となっている。従って、袋体は外面シートの全体で引っ張られることがなくなる。これらによって袋体を傾くことなく、外部々材に取り付けることができる。
【００１１】
請求項２の発明は、請求項１記載の発明であって、前記一対の外面シートは前記袋体に対して面対称位置に設けられることを特徴とする。
【００１２】
この発明では、一対の外面シートが面対称位置に設けられるため、上述した作用を面対称位置から行うことができる。このため、傾くことのない外部々材への取り付けをさらに確実に行うことができる。
【００１３】
【発明の実施の形態】
図１（ａ）、（ｂ）は本発明の一実施の形態の正面図及び背面図、図２はその抽出時の斜視図である。この実施の形態の起立状抽出バッグ１は、袋体２と、一対の外面シート３、４と、各外面シート３，４に形成された係止片５，６とを備えている。
【００１４】
袋体２は外形が偏平な矩形状に形成されており、内部には図示を省略した抽出用原料が収納される。抽出用原料としては、コーヒー粉、緑茶、紅茶などの嗜好品、削り節、だし昆布、煮干しなどの調味料或いは煎じ薬など適宜のものを選択することができる。袋体２はシート状の包材を重ね合わせ、周辺部分をシールすることにより袋状に形成されている。包材としては、合成樹脂糸を縦横に編成した網目状や抄紙などが使用され、これにより、袋体２の全体は通液性を有している。又、包材を重ね合わせて袋状に成形されるため、相反する引っ張り力が作用すると、容易に膨らみ変形することができる。
【００１５】
この実施の形態における袋体２は、その上部々分にミシン目状の開口線２ａが横方向に形成されており、抽出用原料はこの開口線２ａと下端のシール線２ｂとの間に封入される。開口線２ａは袋体２から容易に切り離し可能となっており、開口線２ａを切り離すことによって袋体２の上部々分を開放することができる（図２参照）。この上部々分の開放状態で、上方から袋体２内にに湯などを注下することにより抽出用原料の抽出を行う。
【００１６】
一対の外面シート３，４は矩形状の紙材や樹脂材などからなり、偏平な袋体２の対向した外面２ｃ、２ｄに接着、加熱溶着、超音波溶着などの手段によって接合されている。なお、外面シート３，４の袋体２への接合部位は、袋体の外面２ｃ、２ｄにおける中央部分よりも幾分、下側となっているが、中央部分或いはその上部であっても良い。
【００１７】
係止片５，６はそれぞれの外面シート３，４に形成した切り込み線５ｂ、６ｂを介することにより外面シート３，４に一体的に形成されている。すなわち、係止片５，６は周囲に切り込み線５ｂ、６ｂを有し、この切り込み線５ｂ、６ｂを境として外面シート３，４から引き起こし可能となるものである。又、切り込み線５ｂ、６ｂの一部である係止片５，６の一側には、切り込まれることのない連設線５ａ、６ａが形成されており、この連設線５ａ、６ａを介して係止片５，６が外面シート３，４に連設されている。従って、係止片５，６は連設線５ａ、６ａを起点として外面シート３，４から引き起こされる。
【００１８】
係止片５，６における連設線５ａ、６ａが形成された側と反対側には、応力集中部５ｃ、６ｃが形成されている。この実施の形態における応力集中部５ｃ、６ｃは、連設線５ａ、６ａと反対側に位置する切り込み線５ｂ、６ｂ部分を係止片５，６側に隆起させると共に、隆起した部分の両側（上下側）を窪ませることにより形成されている。従って、応力集中部５ｃ、６ｃは、切り込み線５ｂ、６ｂにおける連設線５ａ、６ａとの反対側を波状とすることにより構成されている。かかる応力集中部５ｃ、６ｃは、押圧力などの外力が作用すると、その外力が集中し、この力の集中によって係止片５，６を外面シート３，４から簡単に引き起こすことができる。
【００１９】
各係止片５，６には、スリット７，８が形成される。スリット７，８は下端部分が開放された略Ｕ字形に形成されており、図２に示すように、外部々材としてのコップ２０の縁部２１が挿入される。この挿入によって係止片５，６がコップ２０に係止するため、袋体２を起立状態でコップ２０に取り付けることができる。かかるスリット７，８は、コップ２０の縁部２１が挿入される挿入始端部（下端部）７ａ、８ａの幅が最も小さくなるように他の部分よりも絞られた形状となっている。このように絞られた挿入始端部７ａ、８ａは、コップ２０に噛み込むことができ、この挿入始端部７ａ、８ａの噛み込みによって係止片５，６がコップ２０に強固に係止した状態となる。
【００２０】
さらに、この実施の形態では、外面シート３，４はその前面が袋体２の外面に接合されるものではなく、袋体２と非接合状態となる非接合部３ａ、４ａを有している。この非接合部３ａ、４ａは、外面シート３，４における応力集中部５ｃ、６ｃの外方側に設けられている。図１において、破線で示す部分は、外面シート３，４が袋体２に接合される接合部分９であり、外面シート３，４における連設線５ａ、６ａの外方部分及びスリット７，８の内部を袋体２に接合している。このような非接合部３ａ、４ａを形成することにより、非接合部３ａ、４ａでは、外面シート３，４が袋体２を引っ張ることがなく、袋体２は非接合部３ａ、４ａを除いた部分だけが外面シート３，４によって引っ張られて膨らむようになっている。
【００２１】
このような実施の形態の起立状抽出バッグ１は、図１で示すように、袋体２に対して面対称となるように外面シート３，４が接合される。又、係止片５，６は外面シート３，４と面一となっており、この面一の状態でガスバリア性の外袋（図示省略）内に封入されて供給される。この外袋への封入及び外袋からの取り出しにあっては、係止片５，６が外面シート３，４と面一となっており、従って、外袋への充填や取り出しの支障となることがない。
【００２２】
抽出に際しては、起立状抽出バッグ１を外袋から取り出して、応力集中部５ｃ、６ｃ付近を押圧する。この押圧力は応力集中部５ｃ、５ｃに集中するため、応力集中部５ｃ、６ｃが簡単に外面シート３，４から離れる。従って、係止片５，６の指で引き起こすことができ、係止片５，６の引き起こしを簡単に行うことができると共に、引き起こしの際に無理な力が作用しないため、袋体２や係止片５，６が破れることがなくなる。
【００２３】
係止片５，６の引き起こしの後、開口線２ａよりも上方の部分を切り離し、係止片５，６のスリット７，８にコップ２０の縁部２１を挿入して係止片５，６をコップ２０に係止させる。この係止では、スリット７，８の挿入始端部７ａ、８ａがコップ２０に噛み込むため、係止片５，６の全体がコップ２０の強固に係止される。又、この係止片５，６の係止によって、外面シート３，４から袋体２の外面２ｃ、２ｄに対して引き剥がし力が作用するため、袋体２が膨らみ変形して抽出可能状態となる。
【００２４】
係止片５，６のコップ２０への係止状態では、連設線５ａ、６ａを介して係止片５，６と連設している外面シート３，４が袋体２を膨らませるように作用する。これに対し、外面シート３，４には袋体２と接合されていない非接合部３ａ、４ａが設けられている。しかも、この非接合部３ａ、４ａが応力集中部５ｃ、６ｃの外方側（すなわち、連設線５ａ、６ａの反対側）に位置しており、係止片５，６を引き起こすと、その引き起こし力が連設線５ａ、６ａを介して非接合部３ａ、絵４ａに伝達されるため、非接合部３ａ、４ａが袋体２から剥がれるように挙動する。このため、袋体２は外面シート３，４の全体で引っ張られることがなくなり、袋体２は傾くことのない起立状態となることができる。これにより、袋体２内部の抽出用原料がこぼれ落ちることがなくなる。
【００２５】
さらに、この実施の形態では、外面シート３，４が袋体２に対して面対称位置に設けられているため、以上の作用を面対称位置で行うことができ、傾くことのないコップ２０への取り付けをさらに確実に行うことができる。
【００２６】
【発明の効果】
以上説明したように、請求項１の発明によれば、応力集中部によって係止片の引き起こしを簡単に行うことができ、しかも、スリットの挿入始端部の絞りを設け、且つ外面シートの袋体への非接合状態を設けるため、袋体を傾くことなく起立させることができる。
【００２７】
請求項２の発明によれば、袋体の傾くことのない起立状態をさらに確実にすることができる。
【図面の簡単な説明】
【図１】本発明の一実施の形態の起立状抽出バッグを示し、（ａ）はその正面図、（ｂ）はその背面図である。
【図２】一実施の形態の抽出時の斜視図である。
【図３】従来の起立状抽出バッグの正面図である。
【図４】従来の起立状抽出バッグの抽出時の斜視図である。
【符号の説明】
１  起立状抽出バッグ
２  袋体
３  ４  外面シート
３ａ  ４ａ  非接合部
５  ６  係止片
５ｃ  ６ｃ  応力集中部
７  ８  スリット
７ａ  ８ａ  挿入始端部
【図１】
0004002366.tif 000002
【図２】
0004002366.tif 000003
【図３】
0004002366.tif 000004
【図４】
0004002366.tif 000005